(57)【要約】【課題】キーボードハウジングとディスプレイハウジングを、背面を合わせた向きに回転可能なシステムにおいて、キーボードの耐久性を向上させること。【解決手段】システムは、キーボードと位置を変更可能なキーボードベゼルを有するキーボードハウジングと、ディスプレイを有するディスプレイハウジングと、キーボードハウジングに対するディスプレイハウジングの位置を決めるために、キーボードハウジングとディスプレイハウジングを回転可能に接続するヒンジと、前記キーボードハウジングに対して前記ディスプレイハウジングが第１の向きの場合に、前記キーボードベゼルを前記キーボードに対して第１の状態に位置させ、かつ、前記キーボードハウジングに対して前記ディスプレイハウジングが第２の向きの場合に、前記キーボードベゼルを前記キーボードに対して第２の状態に位置させる位置調整機構と、備えている。【選択図】  図２
2014174999.tif 000002
【特許請求の範囲】
【請求項１】
キーボードと、位置を変更可能なキーボードベゼルと、を有するキーボードハウジングと、
前記キーボードは、前記キーボードのキーのタッチ面から外側方向に伸びる、Ｘ軸に沿った幅と、Ｙ軸に沿った長さと、Ｚ軸に沿った高さを有するような第１のデカルト座標系で定義され、
ディスプレイを有するディスプレイハウジングと、
前記ディスプレイは、前記ディスプレイの画面から外側方向に伸びる、Ｘ軸に沿った幅と、Ｙ軸に沿った長さと、Ｚ軸に沿った高さを有するような第２のデカルト座標系で定義され、
前記キーボードハウジングに対する前記ディスプレイハウジングの向きを変更するために、前記キーボードハウジングと前記ディスプレイハウジングを回転可能に接続するヒンジと、
前記キーボードハウジングに対して前記ディスプレイハウジングが第１の向きの場合は、前記キーボードベゼルを前記キーボードに対して第１の状態に位置させ、かつ、前記キーボードハウジングに対して前記ディスプレイハウジングが第２の向きの場合は、前記キーボードベゼルを前記キーボードに対して第２の状態に位置させる位置調整機構と、
を備えたシステム。
【請求項２】
前記第１の状態は、前記キーボードベゼルが、前記第１のデカルト座標系において、前記キーボードのキーのタッチ面のＺ位置よりも低いＺ位置の状態である請求項１に記載のシステム。
【請求項３】
前記第２の状態は、前記キーボードベゼルが、前記第１のデカルト座標系において、前記キーボードのキーのタッチ面のＺ位置と実質的に等しいＺ位置の状態である請求項１又は請求項２に記載のシステム。
【請求項４】
前記第２の向きは、前記キーボードハウジングに対する前記ディスプレイハウジングの回転角度が約３６０度である請求項１〜３のいずれか１つに記載のシステム。
【請求項５】
前記第１の向きは、前記キーボードハウジングに対する前記ディスプレイハウジングの回転角度が、約９０度〜約１８０度の範囲である請求項１〜４のいずれか１つに記載のシステム。
【請求項６】
前記キーボードベゼルは前記キーボードのキー用に、開口を形成するベゼルグリッドを含む請求項１〜５のいずれか１つに記載のシステム。
【請求項７】
前記位置調整機構は、前記キーボードベゼルを前記第１の状態から前記キーボードのＺ軸の方向に移動させることにより、前記第２の状態とする請求項１〜６のいずれか１つに記載のシステム。
【請求項８】
前記位置調整機構は、前記キーボードベゼルを前記第２の状態から前記キーボードのＺ軸の方向と反対方向に移動させることにより、前記第１の状態とする請求項１〜７のいずれか１つに記載のシステム。
【請求項９】
前記キーボードベゼルの一部は、前記キーボードの前記Ｘ，Ｙ，Ｚ軸の少なくとも一つの軸に沿った方向に、前記キーボードの前記キーの下方に伸びる請求項１〜８のいずれか１つに記載のシステム。
【請求項１０】
前記キーボードハウジングに対する前記ディスプレイハウジングの前記第２の向きにおいて、前記位置調整機構は、前記キーボードの前記Ｚ軸の方向と反対方向に前記キーボードの前記キーが下がることを防止する請求項１〜９のいずれか１つに記載のシステム。
【請求項１１】
前記位置調整機構は、前記キーボードベゼルを前記キーボードの前記キーに対してスライドさせることによって、前記キーボードベゼルの位置を調整する請求項１〜１０のいずれか１つに記載のシステム。
【請求項１２】
前記スライドは、前記キーボードの前記Ｘ，Ｙ，Ｚ軸の少なくとも１つの軸の方向に前記キーボードベゼルをスライドさせることである請求項１１に記載のシステム。
【請求項１３】
前記位置調整機構は、前記キーボードハウジングに対する前記ディスプレイハウジングの回転角度に応じた位置となるレールを含む請求項１〜１２のいずれか１つに記載のシステム。
【請求項１４】
前記位置調整機構は、前記キーボードハウジングに対する前記ディプレイハウジングの回転角度に応じた回転位置となるカムを含む請求項１〜１３のいずれか１つに記載のシステム。
【請求項１５】
前記カムと接触し、かつ、前記キーボードハウジングに対する前記ディスプレイハウジングの回転角度に応じて、前記キーボードベゼルの位置を決めるために、前記キーボードベゼルと接触するレールを備えた請求項１４に記載のシステム。
【請求項１６】
前記位置調整機構は、前記キーボードベゼルに力を加える少なくとも１つのスプリングを含む請求項１〜１０のいずれか１つに記載のシステム。
【請求項１７】
前記ディスプレイハウジングは、伸張部を含み、前記キーボードハウジングは、前記第２の状態において、前記キーボードベゼルの位置を決めるために、前記キーボードハウジングに対する前記ディスプレイハウジングの第２の向きにおいて前記伸張部を受けるように構成された開口を含む請求項１〜１０のいずれか１つに記載のシステム。
【請求項１８】
前記位置調整機構は、前記第２の状態から前記第１の状態になる場合に、前記キーボードベゼルに力を加えるスプリングを含む請求項１７に記載のシステム。
【請求項１９】
前記ディスプレイハウジングは、伸張部を含み、前記キーボードハウジングは、前記第２の状態において、前記キーボードベゼルの位置を決めるために、前記キーボードハウジングに対する前記ディスプレイハウジングの第２の向きにおいて前記伸張部と接触するように構成された面を含む請求項１〜１０のいずれか１つに記載のシステム。
【請求項２０】
前記位置調整機構は、前記第２の状態から前記第１の状態となる場合に前記キーボードベゼルに力を加えるスプリングを含む請求項１９に記載のシステム。
【発明の詳細な説明】
【技術分野】
【０００１】
ここで開示される主題は、一般的にキーボードの技術に関する。
【背景技術】
【０００２】
各種タイプのコンピューティングデバイス、ディスプレイデバイス、及びコンピューティング・ディスプレイデバイス等が存在しており、例えば、一つのデバイスが他のデバイスやアセンブリ又はシステムのコンポーネントと協働することができる。一例として、キーボードハウジングのキーボードと協働するディスプレイハウジングのディスプレイを考えてみると、例えば、キーボードを経由した情報の入力に加えて、又は、選択的に、ディスプレイを経由して情報を入力することが可能である。かかる例において、キーボードハウジングとディスプレイハウジングは、例えば、キーボードハウジングとディスプレイハウジングを、背面を合わせた向き（back-to-back  orientation）にすることができるようにキーボードハウジング及びディスプレイハウジングを回転可能とするヒンジを介して接続することができる。かかる向きにおいて、タブレットとして一方の面で使用することができる一方（例えば、ディスプレイがタッチスクリーンディスプレイであるというシナリオが考えられる。）、キーボードが他方の面から露出する。ここで記載する各種のテクノロジーや技術は、キーボードハウジングのキーボードを含むデバイス、コンポーネント、アセンブリ等に関する。
【発明の概要】
【発明が解決しようとする課題】
【０００３】
本発明は、上記に鑑みてなされたものであって、キーボードハウジングとディスプレイハウジングを、背面を合わせた向きに回転可能なシステムにおいて、キーボードの耐久性を向上させることを目的とする。
【課題を解決するための手段】
【０００４】
システムは、キーボード及び位置を変更可能な（positionable）キーボードベゼルを有するキーボードハウジングと、ディスプレイを有するディスプレイハウジングと、キーボードハウジングに対するディスプレイハウジングの向きを変更するために、キーボードハウジングとディスプレイハウジングを回転可能に接続するヒンジと、キーボードハウジングに対してディスプレイハウジングが第１の向きとなるために、キーボードに対して第１の状態にキーボードベゼルを位置決めし、かつ、前記キーボードハウジングに対して前記ディスプレイハウジングが第２の向きを取るために、前記キーボードに対して第２の状態にキーボードベゼルを位置決めする位置調整機構（positioning  mechanism）と、を備えている。各種の他の装置、システム、及び方法等が開示される。実施例の特徴及び利点は添付した図面の例と共に、以下の記載を参照することによってより容易に理解することができる。
【発明の効果】
【０００５】
キーボードハウジングとディスプレイハウジングを、背面を合わせた向きに回転可能なシステムにおいて、キーボードの耐久性を向上させることが可能となるという効果を奏する。
【図面の簡単な説明】
【０００６】
【図１】図１は、システムの例の図である。
【図２】図２は、位置を変更可能なキーボードベゼルを備えたシステムの例の図である。
【図３】図３は、位置を変更可能なキーボードベゼルを備えたシステムの一例の図である。
【図４】図４は、位置を変更可能なキーボードベゼルを備えたシステムの例の図である。
【図５】図５は、システムズの例の図である。
【図６】図６は、位置を変更可能なキーボードベゼルを備えたシステムの例の図である。
【図７】図７は、方法の例の図である。
【図８】図８は、１又複数のプロセッサを備えたシステムの例の図である。
【発明を実施するための形態】
【０００７】
以下の記載は、実施例を実施するために現在考えられるベストモードを含んでいる。かかる記載は限定を意図するものではなく、むしろ、単に各種実施例の一般的な原理の記載を意図するものである。発明の範囲は特許請求の範囲を参照して決定すべきである。
【０００８】
一例として、システムは、キーボードハウジングのキーボードと協働するディスプレイハウジングのディスプレイを備えていてもよい。システムは、キーボードを経由した情報の入力に加えて、又は、選択的に、ディスプレイを経由して情報を入力できるようにしてもよい。かかる例において、キーボードハウジング及びディスプレイハウジングは、キーボードハウジングとディスプレイハウジングの背面を合わせる向きを実現するためにキーボードハウジングとディスプレイハウジングが回転できるように接続してもよい。かかる向きにおいて、ディスプレイは一方の面からタブレットとして使用できることにしてもよい（例えば、ディスプレイがタッチスクリーンディスプレイのシナリオが考えられる）。一方、キーボードは他方の面から露出する。背面を合わせる向きではキーボードのキーは押圧可能な状態であり、システムを把持しているとき、ユーザは、キーを押圧可能であり、キーは、ユーザの把持やユーザの把持の強さの感覚に影響を与え、把持力等を増加させる場合がある。一例として、位置決め可能なキーボードベゼルは、ユーザの経験を改善するような態様で調整されてもよい。例えば、位置を変更可能なキーボードベゼルは、把持用の堅い表面を提供するために、キーボードのキーのキータッチ面のレベルまで位置が上昇してもよい。一例として、位置を変更可能なキーボードは、キーボードのキーをロックする、又は、移動距離を減少するために位置決め可能としてもよい（例えば、押圧可能に制限又は規制する等）。一例として、位置を変更可能なキーボードのベゼルはキーボードのキーに対して位置決め可能としてもよく、かつ、オプションとしてキーボードのキーをロックする１又は複数の機構と協働してもよい（例えば、又は、キーの移動を減少させる）。
【０００９】
一例として、１又は複数の機構は、ダメージや疲労等からキーボードのキーを保護するように作用してもよい。一例として、位置を変更可能なキーボードベゼルは、例えば、キーボードのキーをロックして又はロックしないで、キーボードに対する、ダメージや疲労等のリスクを低減するために位置決め可能としてもよい。例えば、後述するタブレットの例において、キーの押圧が可能な態様で、キーに把持力が加えられる場合に、固い面又は面がダメージを受けたり、疲労する可能性があるキーの押圧機構（例えば、スプリングや発泡体（foam）等）の活性化を避けるタブレットのキーボード側に設けた態様で、ユーザがタブレットを把持できるようにしてもよい。
【００１０】
一例として、システムは、キーボードと位置を変更可能なキーボードベゼルを有するキーボードハウジングと、ディスプレイを有するディスプレイハウジングと、キーボードハウジングに対するディスプレイハウジングの位置を決めるために、キーボードハウジングとディスプレイハウジングを回転可能に接続するヒンジと、前記キーボードハウジングに対して前記ディスプレイハウジングが第１の向きの場合に、前記キーボードベゼルを前記キーボードに対して第１の状態に位置させ、かつ、前記キーボードハウジングに対して前記ディスプレイハウジングが第２の向きの場合に、前記キーボードベゼルを前記キーボードに対して第２の状態に位置させる位置調整機構と、備えていてもよい。
【００１１】
図１は、１又は複数のヒンジ１３２−１，１３２−２の周りを、ムーブメントを介して互いに回転可能なキーボードハウジング１２０及びディスプレイハウジング１４０を備えたシステム１００の例を示している。一例として、システム１００は、１又は複数のプロセッサ１１２，メモリ１１４（例えば、１又は複数のメモリデバイス）、１又は複数のネットワークインターフェィス１１６，及び１又は複数のパワーセル１１８を備えていてもよい。かかるコンポーネントは、例えば、キーボードハウジング１２０，ディスプレイハウジング１４０，又は、キーボードハウジング１２０及びディスプレイハウジング１４０の両方に収納されてもよい。
【００１２】
図１の例に示すように、キーボードハウジング１２０は、キー１２５を有するキーボード１２４と、ディスプレイ１４４を有するキーボードハウジング１４０と、を備えている。かかる例において、キーボード１２４は、キーボード１２４のキー１２５のタッチ面から外側方向に伸びる、Ｘ軸（ｘ1）に沿った幅と、Ｙ軸（ｙ1）に沿った長さと、Ｚ軸（ｚ1）に沿った高さを有するような第１のデカルト座標系（Cartesian coordinate system）で定義され、かつ、ディスプレイ１４４は、ディスプレイ１４４の画面から外側方向に伸びる、Ｘ軸（ｘ2）に沿った幅と、Ｙ軸（ｙ2）に沿った長さと、Ｚ軸（ｚ2）に沿った高さを有するような第２のデカルト座標系で定義される。
【００１３】
図１の例に示すように、１又は複数のヒンジ１３１−１、１３２−２は、キーボードハウジング１２０に対するディスプレイハウジング１４０の向きを変えるために、キーボードハウジング１２０とディスプレイハウジング１４０を回転可能に接続している。例えば、向きは、軸ζのような軸及び軸の周りの角度Фに対して定義可能である。
【００１４】
図１は、向き１０１，１０３，１０５，１０７の例を示している。向き１０１は、ノートブックの向きであり、角度Фは、約９０度又はそれ以上である（例えば、ユーザの位置に応じて９０度よりも小さい場合等がある）。図１に示すように、向き１０１については、ユーザは、ディスプレイハウジング１４０のディスプレイ１４４に表示される情報を見ながら、一方又は両方の手１０２−１，１０２−２の１又は複数の指を使用して、キーボード１２４のキー１２５を押圧してもよい（例えば、タッチタイピング）。例えば、１又は複数のプロセッサ１１２やメモリ１１４等は、キーボードハウジング１２０，ディスプレイハウジング１４０，又は、キーボードハウジング１２０及びディスプレイハウジング１４０の両方に収納されてもよい。一例として、キーボードハウジング１２０は、表面１２２とタッチ入力面１２３を備えていてもよい。図１の例に示すように、表面１２２は、例えば、タッチ入力面１２３に対して規定される左及び右の部分を備えている。図１に示すように、ユーザは、表面１２２を使用して、一方又は両方の手１０２−１，１０２−２で支えてもよい。一例として、キーボード１２４は、１又は複数の他の入力デバイス（例えば、コントロールステック等）を備えていてもよい。
【００１５】
向き１０３に関して、これはディスプレイ１４４を見るためのディスプレイ１４４の向きに対応しており、キーボード１２４は、下側を向き、システム１００はキーボードハウジング１２０によって（例えば、キーボード１２４の周りの縁や表面１２２等によって）サポートされる。向き１０５に関して、これは、テント（tent）の向きに対応しており、ディスプレイ１４４は、テントの一方の側を見るために外側を向いており、キーボードハウジング１２０のキーボード１２４はテントの他方の側の外側を向いている。
【００１６】
向き１０７は、タブレットの向きであり、角度Фは約３６０度である。キーボードハウジング１２０のキーボード１２４の通常の外向きのベクトルN1とディスプレイハウジング１４０のディスプレイ１４４の通常の外向きのベクトルN2は互いに離れた向きで反対方向を向いている。これに対して、システム１００を閉じた向きは（例えば、角度Фは約０度である。）、ベクトルＮ1、N2は、向かい合った向きとなる。
【００１７】
図１に示すように、向き１０７に関して、ユーザは、一方の手１０２−２（又は両手）を使用してシステム１００を把持し、手１０２−２のパーム又は１又は複数の指をキーボード１２４のキー１２５に接触するようにしてもよい。かかる方法では、１又は複数のキー１２５が押圧され、ユーザは気にしないが、１又は複数のキー１２５にダメージを与えたり、キー１２５の１又は複数の機構を疲労させる可能性がある（例えば、押圧力や把持時間等に応じて疲労させる）。
【００１８】
一例として、システム１００は、キーボードハウジング１２０に対してディスプレイハウジング１４０が第１の向きの場合は、キーボードベゼルをキーボード１２４に対して第１の状態に位置させ、かつ、キーボードハウジング１２０に対してディスプレイハウジング１４０が第２の向きの場合は、キーボードベゼルをキーボード１２４に対して第２の状態に位置させる位置調整機構を備えていてもよい。かかる例では、位置を変更可能なキーボードベゼルは、キーボードハウジング１２０のキーボード１２４のキー１２５に関する１又は複数の問題を軽減することができる。例えば、位置を変更可能なキーボードベゼルは、向き１０７については、キー１２５のタッチ面とほぼ同じ高さの位置として、例えば、手１０２−１，手１０２−２，又は、両手１０２−１，１０２−２（例えば、パーム、又は、１又は複数の指）で、堅く押圧できないコンタクト面を提供してもよい。かかるアプローチでは、１又は複数のキー機構（例えば、スプリング、発砲体、アクチュエータ等）のダメージや疲労のリスクを低減することができる。例えば、位置を変更可能なキーボードベゼルにより、システム１００のキーボード１２４の寿命を延ばすことができる。
【００１９】
図２は、第１の状態２０１と第２の状態２０２のシステム２００の例を示す図である。図２に示すように、システム２００は、キーボード面２４０、キー２５０，例えば、位置調整機構を介して、第１の状態２０１と第２の状態２０２に位置を変更可能なキーボードベゼル２６０を備えている。図２に示すように、第１の状態２０１及び第２の状態２０２は、キー２５０の移動経路に対応するＺ軸のような軸に対して、規定することができる。図２の例において、キーボードベゼル２６０は、第１の状態２０１から第２の状態２０２に上方向に（例えば、ｚ1に対して上方向に）移動することができ、また、第２の状態２０２から第１の状態２０１に下方向に（例えば、ｚ1に対して下方向に）移動することができる。第２の状態２０２では、キーボードベゼル２６０の上面２６２はキー２５０のタッチ面２５２とほぼ同じ高さである。
【００２０】
図２の例に示すように、キーボードベゼル２６０は、キー２５０用の開口を形成するベゼルグリッドのような形状とすることができる。例えば、個々のキーは、キーボードベゼル２６０の個々の部分で囲まれて、キーボードベゼル２６０の各開口を通過できるようにしてもよい。かかる例において、各開口は、キーボードベゼル２６０の個々の部分によって形成される境界によって定義することができ、この境界は、例えば、平面座標軸（例えば、図１のｘ1及びｙ1）に沿った平面座標に対して規定されてもよい。
【００２１】
一例として、システムは、キーボードハウジングの第１のデカルト座標系において、キーボードハウジングのキーボードのキーのタッチ面のｚ位置よりも低いｚ位置にキーボードベゼルが位置する第１の状態と、キーボードハウジングの第２のデカルト座標系において、キーボードハウジングのキーボードのキーのタッチ面のｚ位置とほぼ同じｚ位置にキーボードベゼルが位置する第２の状態と、を有していてもよい。かかる例において、システムは、ディスプレイを有するディスプレイハウジングを備え、第１の向きは、約９０度〜約１８０度の方位角の範囲から選ばれる、キーボードハウジングに対するディスプレイの回転角度を含み、第２の向きは、約３６０度のキーボードハウジングに対するディスプレイハウジングの回転角を含むことにしてもよい（例えば、ディスプレイのｚ位置とキーボードのｚ位置は離れた点にある）。かかる例において、第１の状態２０１は、第１の向きに関連づけられ、第２の状態は、第２の向きに関連づけられてもよい。一例として、位置調整機構は、向きに応じてキーボードベゼル２６０を移動させ、これにより、例えば、第１の方向用に第１の状態２０１に、第２の方向用に第２の状態に位置させることにしてもよい。
【００２２】
上述したように、キーボードベゼルは、第１の状態から第２の状態にｚ軸の上方向に沿って移動することができる。一例として、位置調整機構は、キーボードベゼル２６０をキーボード面２４０のｚ1軸の方向に第１の状態２０１から移動させることにより、キーボードベゼル２６０を第２の状態２０２に位置させることにしてもよい。
【００２３】
上述したように、キーボードベゼル２６０は、第２の状態２０２から第１の状態２０１にｚ軸の下方向又は内方向に沿って移動することができる。一例として、位置調整機構は、キーボードベゼル２６０をキーボード面２４０のｚ1軸の方向と反対方向に、第２の状態２０２から移動させることにより、キーボードベゼル２６０を第１の状態２０１に位置させることにしてもよい。
【００２４】
一例として、キーボードベゼル２６０は、例えば、キーボードベゼル２６０が第２の状態２０２に位置する場合に、キー２５０の移動を防ぐために、キー２５０の下側に伸張する部分を備えていてもよい。かかる態様において、キーボードベゼル２６０はキー２５０をロックしてもよい（例えば、ｚ1軸に対して下方向又は内方向にキー２５０の押圧を防ぐ）。一例として、キーボードベゼル２６０の一部は、少なくともキーボードの軸の少なくとも１つに沿った方向に（例えば、図１のｘ1及びｙ1参照）、キー２５０の下側に伸張してもよい。一例として、キーボードハウジング１２０に対するディスプレイハウジング１４０の第２の向きにおいて（例えば、図１の向き１０７参照）、位置調整機構は、キーボード１２４のｚ軸の方向と反対の方向にキーボードハウジング１２０のキーを押圧できないようにしてもよい。
【００２５】
図３は、第１の状態３０１と第２の状態３０２のシステム３００の例を示しており、第１の状態３０１は図１の方向１０１に示すような第１の方向に対応してもよく、また、第２の状態３０２は図１の方向１０７に示すような第２の方向に対応してもよい。システム３００は、ベース３４０上に載置されたレール３３０を有する位置調整機構を備えている。図３に示すように、レール３３０をｙ1に沿った方向に移動させることにより、レール３３０は、ｚ1に沿った方向に上昇し、これにより、キーボードベゼル３６０をキー３５０の位置まで上昇させる。図３に示すように、レール３３０とベース３４０は、ベース３４０に対して横方向に移動する時、レール３３０を上方向及び下方向に移動するためのスロープ部を備えていてもよい。図３に示すように、レール３３０は、レール群としてもよく、レールはキーの外側の行、キーの外側の列、キーの内側の列、キーの内側の行等に沿って延在してもよい。例えば、図３の例は、キー３５０の行間に存在し、ｙ1軸に沿って横方向に移動するような複数の列のレール３３０を示しており、システムは、キーの列間に存在し、ｘ1軸に沿って横方向に移動する複数のレールを備えていてもよい。例に示すように、レールの数やレールの位置等は、キーボードベゼル３６０のような位置を変更可能なベゼルを支持するために選択してもよい（例えば、レールが横方向、垂直方向等に移動するか否かに応じてレールの数やレールの位置等を決めてもよい）。
【００２６】
図３は、また、キーボードベゼル３６０がキー３５０の下方に伸張する部分を備えている例を示しており、かかるキー３５０の下方に伸張する部分は、位置調整機構が、第２の状態３０２において、キー３５０が押圧されないように、キーボードベゼル３６０を上昇させてキー３５０と接触させ、かつ、位置調整機構が、第１の状態３０１において、キー３５０の押圧が可能となるように、キーボードベゼル３６０をキー３５０から下降させて離すように移動させるためのものである。図３の例に示すように、キーボードベゼル３６０の伸張する部分は、レール３３０の長手方向に直交するキーボードベゼル３６０の外周から伸張することにしてもよい。例えば、レール３３０はｙ1方向に沿って伸張し、キーボードベゼル３６０の伸張する部分は、ｘ1方向に沿って外周からキー３５０の下方に伸張し、ｙ1方向に沿って伸張していてもよい。一例として、レール３３０はｘ1方向に沿って伸張し、キーボードベゼル３６０の伸張する部分は、ｙ1方向に沿って外周からキー３５０の下方に伸張し、ｘ1方向に沿って伸張していてもよい。一例として、キーボードベゼル３６０の伸張する部分は、１又は複数の方向に伸張していてもよい（例えば、レールの横の移動方向に拘わらず伸張してもよい）。
【００２７】
一例として、レール又はレール群は、上述の例に関して記載した機能を実現するために、キー３５０の下方に伸張する１又は複数の部分を備え、キーボードベゼル３６０は、キー３５０の下側に伸張する部分を備えていてもよい。一例として、レール３３０はレール３３０の長手方向の軸から外側に伸張する１又は複数の部分を備えていてもよい。
【００２８】
図３に示すように、キー機構は、ラバー（例えば、発砲ゴム（foam rubber）等）コンポーネント３５１を備えていてもよい。ラバーは、弾性力を有するが、過度の力や頻繁な力等を受けた場合にダメージを受けたり、疲労等する。一例として、触覚フィードバックを提供してユーザの経験を補強することを目的とした、いわゆるアイランド−スタイルキー機構（island-style  key  mechanism：例えば、LENOVOR  THINKPADR  T430  keyboard）としてもよい。一例として、個々の文字キーは約8mm×7mm×7.5mm等の寸法を有している。一例として、隣接文字キーの間隔は、約10mm、約10.5mm等としてもよい。他のタイプのキーの例については、約50mm×約7mm or 8mmのスペースバーキー（a spacebar key）、約7mm×約11mmのエスケープキー（escape key）、約11mm×約5mmのデリートキー（delete  key）、約17mm or 約18mm×約7.5mmのバックスペースキー（約17mm or 約18mm×約7.5mm）等である。
【００２９】
一例として、システムは、キーボードハウジングに対するディスプレイハウジングの回転角度に応じた位置を有するレールを備えた位置調整機構を備えていてもよい。一例として、レールは、カムと接触し、かつ、キーボードハウジングに対するディスプレイハウジングの回転角に応じた位置に、キーボードベゼルを位置させるようにキーボードベゼルと接触するように配置してもよい（例えば、レールはカム上に配置し、かつ、カムの回転に応じて移動してもよい）。
【００３０】
図４は、キーボードコンポーネント４８０のプレート４７０と協働するキー４５０の列の間に位置する複数のレール４３０（例えば、レールの一群）を備えたキーボードベゼル（不図示）の位置を調整するための位置調整機構を備えたシステム４００の例を示している。一例において、x1軸に沿ってプレート４７０が移動すると、レール４３０がy1軸に沿って移動するようにしてもよい。かかる例において、プレート４７０は、個々のレール４３０の突起（prongs）４３５を受けるスロット４７５を備えることにしてもよい。スロット４７５の形状により、プレート４７０が移動するのに伴ってレール４３０を移動させるようにしてもよい。かかる例において、個々のレール４３０の突起４３５は、プレート４７０のスロット４７５が受けるように、レール４３０が上昇及び下降する際に（例えば、図３のベース３４０のようなベースに対して）、スロット４７５と係合しないように十分な長さとしてもよい。
【００３１】
一例として、システム４００は、回転してプレート４７０を移動させるカム４９０を備えていてもよい。一例として、プレート４７０の端部は、例えば、スプリングや他の付勢機構を介して、カム４９０と接触してもよい。一例として、カム４９０は、キーボードハウジングに対してディスプレイハウジングを回転可能とするヒンジの一部又はカップルとしてもよい。かかる構成において、この回転は、カム４９０を回転させ、これにより、プレート４７０を移動させてもよい（例えば、位置調整機構の他のコンポーネント）。
【００３２】
図５は、キーボードハウジング５２０、キー５２５，ヒンジコンポーネント５３２，ヒンジコンポーネント５３４，ディスプレイハウジング５４０、キーボードベゼル５６０，及びスプリング５６３−１，５６３−２を備えた、システム５００とシステム５０５の例を示している。システム５００に関して、キーボードベゼル５６０は、キーボードハウジング５２０の開口５６７に伸張するステム（stem）５６５を備え、ディスプレイハウジング５４０は、ディスプレイハウジング５４０の背面から外側に伸張するステム５４５を備えている。図５に示すように、ディスプレイハウジング５４０がキーボードハウジング５２０の背面方向を向いている場合に、ステム５４５とステム５６５は接触して、ステム５６５は外側に押されて、キーボードベゼル５６０をキー５２５のタッチ面と概ね同じ高さの位置に移動させる。この位置では、キーボードベルゼ５６０は、キー５２５の下降を防止するように、キー５２５を支持してもよい。かかる例では、スプリング５６３−１と５６３−２は押しつけられる。キーボードハウジング５２０とディスプレイハウジング５４０の一方又は両方を回転させてシステム５００を元の位置に戻す場合、スプリング５６３−１と５６３−２は、例えば、キー５２５をアンロックする間に、キーボードベゼル５６０をキー５２５のタッチ面より低い位置に移動させる。
【００３３】
システム５０５の例に関して、ディスプレイハウジング５４０は、キーボードハウジング５２０の足（foot）５２１を収納する収納部（recesses）５４１を備えている。かかる態様において、ディスプレイハウジング５４０は、例えば、ステム（例えば、ステム５４５）というよりむしろターゲット面５４２を備えていてもよい。図５に示すように、キーボードハウジング５２０とディスプレイハウジング５４０の背面を合わせた向きにすることにより、足５２１は、収納部５４１に受けられ、ターゲット面５４２はベゼルのステム５６５と接触して、キー５２５がロックされる場合のキー５２５と略同じ高さにキーボードベゼル５６０を位置させる。システム５０５の例において、背面を合わせた向きにある場合に、収納部５４１及び足５２１は接触して、システム５０５をより安定した状態とする。例えば、足５２１、収納部５４１の内面等は、弾性又は粘性としてもよく、ハウジング５２０、５４０は、背面を合わせた方向にある場合に、互いに対して横方向に移動することを制限又は少なくしてもよい。
【００３４】
一例として、システムは、キーボードベゼルに力を付与する少なくとも１つのスプリングを有する位置調整機構を備えることができる。例えば、システム５００は、キーボードベゼル５６０に力を付与する１又は複数のスプリング５６３−１，５６３−２を備えている。
【００３５】
一例として、システムは、キーボードベゼルを上方向に押すことができる伸張部（（extension）例えば、ステム）を有するディスプレイハウジングを備えることができる。例えば、システムは、伸張部を有するディスプレイハウジングを備えることができる。キーボードハウジングは、キーボードベゼルを高さ状態のような状態（例えば、略キーボードのキーのタッチ面の高さ）に位置させるために、キーボードハウジングに対するキーボードハウジングの方向（例えば、背面方向又はタブレット方向）に伸張部を受けるように構成された開口を備える。一例として、システムは、キーボードベゼルをある状態から他の状態にするために、キーボードベゼルに力を加える１又は複数のスプリングを有する位置調整機構を備えることができる。
【００３６】
一例として、キーボードハウジングは、ディスプレイハウジングの表面によって押される伸張部（例えば、ステム等）を備えることにしてもよい。一例として、システムは、伸張部を有するキーボードベゼルと、ある状態（例えば、キーボードハウジングのキーがロックされ、キーボードベゼルがキーのタッチ面と略同じ高さの状態等）にキーボードベゼルを位置決めするために、キーボードハウジングに対するディスプレイハウジングの向きに伸張部と接触するように構成された表面を有するディスプレイハウジングと、を備えることにしてもよい。
【００３７】
一例として、システムは、ベゼルをある状態から他の状態に移動させるために力を加えることができる１又は複数のスプリングを備えることができる。一例として、位置調整機構は、１又は複数のスプリングを備えることにしてもよい。一例として、位置調整機構は、例えば、システムのディスプレイハウジングに対するキーボードハウジングの向きに応じた態様で、ある状態から他の状態にキーボードベゼルに力を加えるスプリングを備えることにしてもよい。
【００３８】
一例として、キーボードベゼルは、ある状態から他の状態にｚ軸に沿って内側に移動するように構成してもよい。一例として、キーボードベゼルは、横方向に、例えば、ＸＹ平面のＸ軸又はＹ軸に沿った平面方向に、移動してもよい。一例として、かかるキーボードベゼルは、キーボードの下方向、例えば、少なくともキーボードの平面（例えば、ＸＹ平面等）の軸の１つに沿った方向に伸張する部分を有していてもよい。
【００３９】
図６は、第１の状態と第２の状態のシステム６００の例を示している。図６の例において、システム６００は、キーボードベゼル６４０と、ステップ（step）６５２を有するキー６５０（例えば、ステップを備えた個々のキー）を備えている。図６に示すように、第１の状態６０１において、個々のキーについてキーボードベゼル６４０の開口を規定する外周６４２は、キー６５０の押し下げに干渉されない。他方、第２の状態５０２では、キーボードベゼル６４０がＸ軸に沿って横方向に、例えば、１つのリッジ（ridge）又は複数のリッジ６４８を用いて（又は他の構成を用いて）、移動する場合に、外周６４２はキー６５０の各ステップ６５２の下方に位置し、これにより、キー６５０の下方向の移動を低減する。
【００４０】
図７は、方法７１０の例と方法７３０の例を示している。方法７１０に関して、方法７１０は、互いに対して回転可能に方向付け可能なキーボードハウジングとディスプレイハウジングを備えたシステムを提供するための提供ブロック７１２と、キーボードハウジングに対してディスプレイハウジングを回転させるための回転ブロック７１４と、前記回転に応じてキーボードハウジングのキーボードベゼルを移動させるための移動ブロック７１６と、を含むことができる。方法７３０に関して、方法７３０は、システムのキーボードハウジングに対するディスプレイハウジングの向きに応じて入力用キーボードをアクティブにする（activate）ためのアクチベーションブロック７３２と、システムのキーボードハウジングに対するディスプレイハウジングの向きに応じて入力用キーボードを無効化する（deactivate）デアクチベーションブロック７３４と、を含んでいてもよい。図７の例に示すように、方法７３０は、例えば、キーボードハウジングに対するディスプレイハウジングの向きに応じて、ブロック７３２と７３４間でループしてもよい。一例として、入力用キーボードのアクティブ化と無効化は機械的に、電気的に、又は、機械的及び電気的の両方で行ってもよい。機械的に行う場合は、コンポーネントは、キー又はキー機構の移動を防止して無効化するために、キー又はキー機構に接触し、また、キー又はキー機構の移動を可能にしてアクティブにするために、キー又はキー機構と離れることにしてもよい。電気的に行う場合は、一例として、キーボードハウジングに対するディスプレイハウジングの向きに応じて、入力用キーボードをアクティブと無効化を切り替えることにしてもよい。一例として、方法７１０と方法７３０は、システムのキーボードハウジングに対するディスプレイハウジングの回転に応じて、キーボードベゼルの移動及びアクティブ化／無効化を行うように一緒に実施されてもよい。
【００４１】
要約、明細書、及び／又は特許請求の範囲で使用される「回路（“circuit”or“circuitry”）」という用語は、当業者によく知られているように、利用可能なインテグレーションの全てのレベルを含むものである（例えば、ディスクリートロジック回路から実施の形態の機能を実行するためにプログラムされたプログラマブルロジックコンポーネントや前記機能を実行するための指令でプログラムされた汎用目的や特定目的のプロセッサを含むＶＬＳＩまで）。このような回路は、コンピュータが実行可能な指令を備えた１又は複数のコンピュータ読み取り可能な媒体を利用してもよい。ここで記載されるように、コンピュータ読み取り可能な記録媒体は、ストレージデバイス（例えば、メモリチップ、メモリカード、ストレージディスク等）としてもよく、かつ、コンピュータ読み取り可能なストレージ媒体として参照されてもよい。
【００４２】
様々な回路の例を説明したが、図８はコンピュータシステム８００の一例を説明するためのブロック図である。コンピュータシステム８００は、Lenovo（US）  Inc.  of  Morrisvilleで販売されている、ThinkCentre（登録商標）やパーソナルコンピュータのThinkPad（登録商標）シリーズ、NC、ThinkStation（登録商標）のようなワークステーションとすることができる。しかしながら、ここでの記載から明らかなように、サテライト、ベース、サーバ、又は他のマシーンは、他の特徴又はコンピュータシステム８００の特徴の幾つかだけを有していてもよい。図１のデバイス１００のようなデバイスは、コンピュータシステム８００の少なくともいくつかの特徴を備えていてもよい。
【００４３】
図８に示すように、コンピュータシステム８００は、いわゆるチップセット８１０を備えている。チップセットは、集積回路やチップのグループと呼ばれ、協働するように設計（例えば、構成）されている。チップセットは、通常、単一の製品として市販されている（例えば、INTEL（登録商標）やAMD（登録商標）等のブランドで市販されているチップセットがある）。    
【００４４】
図８の例において、チップセット８１０はブランドまたは製造業者に応じてある程度変更できる特定のアーキテクチャを有する。チップセット８１０のアーキテクチャは、ＤＭＩ（direct  management  interface  or  direct  media  interface）８４２又はリンクコントローラ（link  controller）８４４を介して情報（例えば、データ、信号、及びコマンド等）を交換する、コア・メモリコントロールグループ（core  and  memory  control  group）８２０及びＩ／Ｏコントローラハブ（I/O  controller  hub）８５０を備えている。図８の例において、ＤＭＩ８４２は、chip-to-chipインターフェイスである（ノースブリッジ（north-bridge）とサウスブリッジ（south-bridge）間のリンクとして参照する場合がある）。
【００４５】
コア・メモリコントロールグループ８２０は、ＦＳＢ（front  side  bus）８２４を介して情報を交換する１つ以上のプロセッサ（processors）８２２（例えば、シングル又はマルチコア）及びメモリコントローラハブ（memory  controller  hub）８２６を備えている。コア・メモリコントロールグループ８２０は、シングルプロセッサダイ（die）にインテグレィトとされてもよく、例えば、従来のノースブリッジ（north-bridge）式のアーキテクチャに取って代わるチップにインテグレィトされてもよい。
【００４６】
メモリコントローラハブ８２６は、メモリ（memory）８４０とのインターフェイスを行う。例えば、メモリコントローラハブ８２６は、ＤＤＲ  ＳＤＲＡＭメモリ（例えば、DDR、DDR2、DDR3等）をサポートする。一般的に、メモリ８４０は、ＲＡＭ形式である。メモリ８４００は、システムメモリとして頻繁に参照される。
【００４７】
メモリコントローラハブ８２６は、さらに、ＬＶＤＳ（a  low-voltage  differential  signaling  interface）８３２を備えている。ＬＶＤＳ１１３２は、ディスプレイデバイス８９２（例えば、ＣＲＴ、フラットパネル、プロジェクタ等）をサポートするいわゆるＬＤＩ（LVDS  Display  Interface）としてもよい。ブロック（block）８３８はＬＶＤＳインターフェイス８３２を介してサポートされるテクノロジー（例えば、ＳＤＶＯ（serial  digital  video）、ＨＤＭＩ（登録商標）／ＤＶＩ、ディスプレイポート（display  port））を備えている。メモリコントローラハブ８２６は、また、例えば、ディスクリートグラフィックス（discrete  graphics）８３６をサポートするＰＣＩ−Ｅ（PCI-express  interface）８３４を備えている。ＰＣＩ−Ｅインターフェィスを用いたディスクリートグラフィックスは、ＡＧＰ（accelerated  graphics  port）に交互にアプローチする。例えば、メモリコントローラハブ８２６は、外部ＰＣＩ−Ｅベースグラフィックスカード用に１６レーン（×１６）のＰＣＩ−Ｅポートを含むことにしてもよい。システムは、グラフィックスをサポートするためのＡＧＰ又はＰＣＩ−Ｅを備えていてもよい。ここで記載するように、センサーディスプレイは、抵抗検出、光学検出、他のタイプの検出を使用してもよい。
【００４８】
Ｉ／Ｏコントローラハブ８５０は、各種のインターフェイスを備えている。例えば、図８に示す例では、ＳＡＴＡインターフェイス８５１、ＰＣＩ−Ｅインターフェイス８５２（１又は複数のlegacy  PCI  interfacesとしてもよい）、１又は複数のＵＳＢインターフェイス８５３、ＬＡＮインターフェイス８５４（より一般的にはネットワークインターフェイス）、ＧＰＩＯインターフェイス（a  general  purpose  I/O  interface）８５５、ＬＰＣ（low-pin  count）インターフェイス８７０、パワーマネージメントインターフェイス（power  management  interface）８６１、クロックジェネレータインターフェイス（clock  generator  interface）８６２、オーディオインターフェイス（audio  interface）８６３（例えば、スピーカ８９４用）、ＴＣＯインターフェイス（TCO  interface）８６４、システムマネージメントバスインターフェイス（system  management  bus  interface：例えば、multi-master  serial  computer  bus  interface）８６５、図８に示す例では、ＢＩＯＳ８６８及びブートコード８９０を含むことができるＳＰＩ  Ｆｌａｓｈ（serial  peripheral  flash  memory/controller  interface）８６６等を備えている。ネットワーク接続に関して、Ｉ／Ｏコントローラハブ８５０は、ＰＣＩ−Ｅインターフェイスポートと複合されたインテグレィテド・ギガビット・イーサネット（登録商標）コントローララインを備えていてもよい。他のネットワーク構成は、ＰＣＩ−Ｅインターフェイスから独立して動作してもよい。
【００４９】
Ｉ／Ｏハブコントローラ８５０のインターフェイスは、各種デバイスやネットワーク等との通信を提供する。例えば、ＳＡＴＡインターフェイス８５１は、ＨＤＤｓ、ＳＤＤｓ、又はこれらの結合のような１又は複数のドライブ８８０に対して、情報のリード、ライト、又は、リード・ライトを提供する。Ｉ／Ｏハブコントローラ８５０は、また、１又は複数のドライバ８８０をサポートするために、ＡＨＣＩ（advanced  host  controller  interface）を備えていてもよい。ＰＣＩ−Ｅインターフェイス８５２は、デバイスやネットワーク等へのワイヤレス接続８８２を可能とする。ＵＳＢインターフェイス８５３は、キーボード（ＫＢ）、１又は複数の光学センサ、マウス、他のデバイス（例えば、マイクロフォン、カメラ、電話、ストレージ、メディアプレイヤー等）のような入力デバイス１１８４を提供する。１又は複数の他のタイプのセンサは、ＵＳＢインターフェイス８５３又は他のインターフェイス（例えば、I2C等）を使用することにしてもよい。マイクロフォンに関して、図８のシステム８００は、音声（user  voice、ambient  sound等）を受信するように好適に構成されたハードウェア（例えば、オーディオカード）を備えることにしてもよい。
【００５０】
図８の例において、ＬＰＣインターフェイス８７０は、１又は複数のＡＳＩＣｓ８７１、ＴＰＭ（trusted  platform  module）８７２、スーパーＩ／Ｏ８７３、ファームウェアハブ８７４、ＢＩＯＳサポート８７５、並びに、ＲＯＭ８７７、フラッシュ８７８、ＮＶＲＡＭ（non-volatile  RAM）８７９のような各種タイプのメモリ８７６を使用できるようにしている。ＴＰＭ８７２に関して、このモジュールは、ソフトウェアやハードウェアデバイスを認証するのに使用できるチップの形態としてもよい。例えば、ＴＰＭは、プラットフォームの認証を実行できるようにしもよく、また、システムシーキングアクセスが想定されるシステムであることを認証するために使用してもよい。
【００５１】
システム８００は、パワーオン後にＳＰＩ  Ｆｌａｓｈ８６６に格納されているＢＩＯＳ８６８がブートコード８９０を実行し、その後、１つ以上のＯＳ及びアプリケーションソフトウェア（例えば、メモリ８４０に格納されている）のコントロール化でデータを処理するように構成してもよい。ＯＳは、各種の記憶場所に格納でき、例えば、ＢＩＯＳ８６８の指令に応じてアクセスされるようにしてもよい。また、ここで記載するように、サテライト、ベース、サーバ、又は他のマシーンは、図８のシステム８００に示されるよりも少なくまたは多くの特徴を含んでいてもよい。さらに、図８のシステム８００は、ＧＳＤ（登録商標）、ＣＤＭＡ等、システム８００の１又は複数の他の構成と動作を調整するための各種回路を含むことができる携帯電話回路（cell  phone  circuitry）８９５を備えることにしてもよい。図８に示すように、バッテリ回路（battery  circuitry）１１９７は、１又は複数のバッテリや電源等、関連する構成（例えば、システム８００の１又は複数の他の構成を制御する構成）を備えていてもよい。一例として、ＳＭＢｕｓは、ＬＰＣ（例えば、ＬＰＣインターフェイス８７０参照）やＩ２Ｃ（例えば、ＳＭ／Ｉ２Ｃインターフェイス８６５参照）を経由して動作可能としてもよい。
【００５２】
方法、装置、システムの例を構造的な特徴及び／又は方法的な動作を特定する用語で記載したが、特許請求の範囲で規定される主題は、特定された特徴又は動作に制限する必要はない。むしろ、特定された特徴及び動作は、特許請求の範囲で記載された方法、装置、システム等を実行する形態の１例として開示されている。
【符号の説明】
【００５３】
１００  システム
１１２  プロセッサ
１１４  メモリ
１１６  ネットワークインターフェィス
１１８  パワーセル
１２０  キーボードハウジング
１２４  キーボード
１２５  キー
１４０  ディスプレイハウジング
２６０  キーボードベゼル
【図１】
2014174999.tif 000003
【図２】
2014174999.tif 000004
【図３】
2014174999.tif 000005
【図４】
2014174999.tif 000006
【図５】
2014174999.tif 000007
【図６】
2014174999.tif 000008
【図７】
2014174999.tif 000009
【図８】
2014174999.tif 000010